(57)【要約】【課題】水中動物の「はだかかめがい」のクリオネ（学名リマキナ）の擬製体形を有して、該クリオネと近似の水中泳動をさせて観察・鑑賞用に使用するクリオネ型水中泳動体を提供する。【解決手段】「略紡錘形状の防水中空形状の胴部２と、胴部２に左右に突設した一対の扇状の主ヒレ部５を備えて水中で縦姿勢を保持する本体から成り、主ヒレ部５は、胴部２に内設した電動作動部によって胴部２の縦軸心に対して所要角の扇動作動の連続と停止を間欠反復する扇動機構１０を備え、該扇動作動によって水中を上昇泳動すると共に、該扇動作動の停止によって水中下降泳動を成す構造が特徴である。【選択図】　　図１
2004141202.tif 000002
【特許請求の範囲】
【請求項１】
略紡錘形状の防水中空形状の胴部と、該胴部に左右に突設した一対の扇状の主ヒレ部を備えて水中で縦姿勢を保持する本体から成り、該主ヒレ部は、前記胴部に内設した電動作動部によって前記胴部の縦軸心に対して所要角の扇動作動の連続と停止を間欠反復する扇動機構を備え、該扇動作動によって水中を上昇泳動すると共に、該扇動作動の停止によって水中下降泳動を成す構造を特徴とするクリオネ型水中泳動体。
【請求項２】
胴部に連設した頭部の上端と該胴部下端の尾部に、扇動機構のリミットスイッチを設け、水面部位の氷板擬製体または障害体への該リミットスイッチの接触によって主ヒレ部の扇動作動が停止すると共に、該リミットスイッチの水底への接触によって該主ヒレ部の扇動作動を開始させる扇動機構の作動制御手段から成る請求項１のクリオネ型水中泳動体。
【請求項３】
扇動機構に、電動作動部の作動・停止時間の作動タイマーを内設し、該作動タイマーのセット時間によって主ヒレ部の扇動作動の連続・停止を制御する作動制御手段から成る請求項１のクリオネ型水中泳動体。
【請求項４】
胴部から引き出した作動コードを、水外に設けた電源バッテリーに接続する電源供給形態の請求項１・請求項２・請求項３のいずれかのクリオネ型水中泳動体。
【発明の詳細な説明】
【０００１】
【発明の属する技術分野】
本発明は、水中動物の「はだかかめがい」のクリオネ（学名リマキナ）の擬製体形を有して、該クリオネと近似の水中泳動をさせて観察・鑑賞用に使用するクリオネ型水中泳動体に関するものである。
【０００２】
【従来の技術】
従来、水中泳動させて観賞する「水中動物を擬製した水中泳動体」としては、クラゲ型水中遊泳玩具（例えば、特許文献１参照）や、通常の魚型形態の水中玩具（例えば、実用新案文献１参照）がある。
【０００３】
【特許文献１】
特開２００２−２８３８０公報（請求項と図１）
【実用新案文献１】
実用新案登録第３０７２３５３号公報（請求項と図１）
【０００４】
【発明が解決しようとする課題】
以上の公知の技術のものは「クラゲ」「通常魚」の水中泳動を作動するのみで、クリオネの如く極めて特異にして観察観賞性に富む水中挙動を成す水中泳動体の技術は存在していない。
【０００５】
本発明は、以上の従来技術に存在しない「クリオネ型水中泳動体」を提供するものである。
【０００６】
【課題を解決するための手段】
以上の技術課題を解決する本発明のクリオネ型水中泳動体は「略紡錘形状の防水中空形状の胴部と、該胴部に左右に突設した一対の扇状の主ヒレ部を備えて水中で縦姿勢を保持する本体から成り、該主ヒレ部は、前記胴部に内設した電動作動部によって前記胴部の縦軸心に対して所要角の扇動作動の連続と停止を間欠反復する扇動機構を備え、該扇動作動によって水中を上昇泳動すると共に、該扇動作動の停止によって水中下降泳動を成す構造」に成っている。
【０００７】
即ち、前記構成の本発明の「クリオネ型水中泳動体」は、外形を実存のクリオネに擬製した形態に構成し、左右に扇状に拡げた前記の主ヒレ部を「本体の縦軸心を中心として所要角往復角回転させる扇動作動」させることによって水中を縦姿勢で泳動上昇し、その扇動作動を停止させることによって縦姿勢のまま水中下降する実存クリオネの擬似水中泳動をさせる構造を特徴としている。
【０００８】
そして、その特徴的水中泳動性能をより安定向上させる意図で、前記の基本構成の本体の頭部と尾部に「作動モーターのリミットスイッチ」を内設して、水槽上面の氷板擬製板等の障害物と水底に該頭部・尾部が接触することによって前記扇動作動をオン・オフする形態にしたり、胴部に内設した作動モーターの作動タイマーを付設して該扇動作動の間欠作動を可能にする態様にする。
【０００９】
さらに、その扇動作動の作動モーターの駆動電源は、前記胴部に内設した乾電池、または、胴部から引き出した電源コードを水外のバッテリーに接続して送電する等の態様にする。
【００１０】
【作用】
以上の構成の本発明のクリオネ型水中泳動体は、扇状の主ヒレ部が扇状作動すると該主ヒレ部の斜め下方（胴部の縦軸心に対する斜め下方の方向）に水を押し下げるので、その押し下げ力の分力が胴部の上方浮力として作用して胴部を縦姿勢にしたまま水中上昇泳動する。そして、その扇状作動を停止すると縦姿勢を維持したまま水中下降泳動作用する。
【００１１】
かくして、その水中上昇作動と水中下降作動の反復とクリオネ擬製の体形によって、実存クリオネと近似した特有の水中泳動挙動が可能になる。
【００１２】
【発明の実施の形態】
まず、図１〜図３を参照して本発明１実施形態の「クリオネ型水中泳動体１（以下、単に泳動体１という）」を説明する。即ち、泳動体１は略紡錘形状の防水中空ケース体の胴部２と、この胴部２と中空部を連通して一体連設した略中空球体の頭部３と、胴部２の下端を成す尾部４によって本体が構成され、さらに、胴部２に「扇状に拡がる左右対称一対の主ヒレ部５」を突設したクリオネ擬製体に形成されている。
【００１３】
そして、胴部２に内蔵した扇動機構１０によって主ヒレ部５が概ね９０〜１８０°の任意の扇動角θによって扇動作動して泳動体１が水中を概ね垂直縦姿勢で上昇泳動したり、その扇動作動の停止によって同じく水中を垂直姿勢で下降泳動するクリオネ型泳動挙動を反復する構造に成っている。なお、図中の８は頭部２に突設した耳状の柔軟突起である。
【００１４】
詳しくは（図２・図３参照）、胴部２と頭部３は縦分割面９で「着脱自在に防水状に接合セット」する左右対称一対の割型ケース１１から成り、その割型ケース１１の中空部に装着セットした駆動部ケース１２に「電源用乾電池１３と、作動用のモーターＭとモーターＭの回転数を減速する減速部１４」から成る電動作動部が内設されている。
【００１５】
一方、主ヒレ部５は、公知の扇体の両側の主骨に当る略Ｌ状のリブ７と、リブ７の内側に張設した膜部６によって形成された３角形状を成し、そのリブ７の三角頂点に当る基端が胴部２のリブ孔２０を通して胴部２の中空部に伸長する作動リブ７Ａとなっており、この作動リブ７Ａは胴部２内に立設した支承ピン１８に回転自在に支承されている。
【００１６】
そして、この支承ピン１８に支承された作動リブ７Ａの先端は、（図２（Ｂ）参照）前記電動作動部の減速部１４の出力ピン２１に設けたクランク板２２のクランクピン２３と、作動レバー２５を介してピンＰによって連結されている。
【００１７】
そして、クランク板２２が回転作動するとクランクピン２３の回転直径Ｄの回転作動に連動して作動リブ７Ａが図示矢印の角回転作動を成し、この作動リブ７Ａの作動によって主ヒレ部５が図１（Ｃ）に示す扇動作動を成す主ヒレ駆動部１５に構成され、この主ヒレ駆動部１５と前記の電動作動部によって扇動機構１０を構成している。
【００１８】
そして、尾部４は胴部２本体に防水状に着脱自在にして「泳動体１が水中で縦姿勢を保持するための重心調整のバランスウエイト２６」が内設されている。
【００１９】
さらに、頭部３の柔軟突起８と尾部４の下端の柔軟中空部には、モーターＭのリミットスイッチＳが内設されており、後述する水中泳動において頭部３のリミットスイッチＳが、水面部位の障害物への接触抵抗を感知するとモーターＭが停止すると共に、尾部４のリミットスイッチＳが水底の接触抵抗を感知するとモーターＭが作動する「モーターＭのオン・オフ機構」即ち扇動機構１０の作動制御手段を構成している。
【００２０】
なお、泳動体１の比重は水より若干大に設定されると共に、作動リブ７Ａを貫通するリブ孔２０は「軟質ゴムパッキング装着」等の適宜な防水が施される。そして、モーターＭの主スイッチは胴部２の外周にセットしたり、リモコンスイッチ形態に設定される。そして、前記の電動作動部を装着した駆動部ケース１２は割型ケース１１の一方に装着した後、図示の後嵌め固定部材２７等の手段によって胴部２内に固定セットされる。
【００２１】
以上の図１実施形態の泳動体１は以下のように使用される。即ち（図３参照））適宜の水深を有する水槽３０の水面部位に氷擬製板３１を設定し、その氷擬製板３１の下方水中に水没させてセットし、図示の氷擬製板３１と水槽底間の水中上下泳動を反復させて鑑賞用・観察用・理科教材等として使用する。
【００２２】
以上の図１実施形態の泳動体１は前記の作用があり、水槽３０内の泳動体１は主ヒレ部５を所要の扇動角θと速度で扇動作動して水中を上昇泳動し頭部３の軟質突起８が氷擬製板３１に接触するとリミットスイッチＳが作動して主ヒレ部５の扇動作動が停止し、胴部２の縦姿勢を保持したまま水中下降泳動する。
【００２３】
そして、尾部４が水槽３０の水底に達して尾部４のリミットスイッチＳがオンになると主ヒレ部５が扇動作動を回復して上昇泳動する。かくして、以上の水中上下の泳動作動を反復持続することができる。
【００２４】
続いて、図４・図５を参照して本発明の泳動体１の他の実施形態を説明する。詳しくは、図４に示すものは前記実施形態と同一の泳動体１において、主ヒレ部５のリブ７が「膜部６の上縁のみにして、膜部６の側縁が胴部２の外周に密着し、さらに尾部４が後方へ曲成している。この図４に示すものは外形状が実存クリオネと一段と近似するので、リアリティーが向上する。
【００２５】
つぎに図５（Ａ）に示すものは扇動機構１０のモーターＭの作動時間・停止時間を調整セットするタイマー３２が内設されており、セットつまみ３５で予め任意セットした１分間等の任意インターバルでモーターＭが回転・停止する形態にして、このセットインターバルで泳動体１の水中の上昇泳動と下降泳動を反復させる態様である。なお、セットつまみ３５は必要に応じて胴部２の外周にセットされる。
【００２６】
一方、図５（Ｂ）に示すものは胴部２内の乾電池１３を不存在にして、胴部２から引き出した作動コード３３を、水外に定置したバッテリー３４に接続して電源供給する形態に成っている。この図５（Ｂ）のものは電池交換無用にして長時間泳動ができる。
【００２７】
なお、本発明の泳動体１は前記の実施態様に限定されず、胴部２・頭部３内に発光体を内設して、水中の泳動体１を自発光させて観賞性の一段の向上を図る形態にしたり、前記の氷擬製板３１に代えて細メッシュ網等の水面障害物に代えることがある。
【００２８】
さらに、扇動機構１０の出力ピン２１の回転運動を、主ヒレ部５の扇動角θの扇動作動に変換させる機構は、前記のクランク機構以外の（図示しない）「作動リブ７Ａの往動を出力ピン２１側の作動ピンで作動させ、その作動ピンが外れた復動をスプリングによる付勢復帰の構造」または「出力ピン２１側のカム体と作動リブ７Ａ側のカムピン機構」或は「出力ピン２１と作動リブ７Ａの磁石体による吸着往動と、その磁石外れによるスプリング付勢復動の磁石応用機構」等にすることがある。
【００２９】
【発明の効果】
以上の説明のとおり本発明のクリオネ型水中泳動体は、実存クリオネと極めて近似した外形形態を有して、実存クリオネと近似した水中泳動挙動作動をするので、水族館・ホテルロビー・博物館等の鑑賞用・観察用として、また理科教材用として広く有用に活用できる。
【図面の簡単な説明】
【図１】本発明１実施形態のクリオネ型水中泳動体を示し、（Ａ）はその正面図、（Ｂ）はその右側面図、（Ｃ）はその平面図と主ヒレ部の作動説明図
【図２】図１実施形態の水中泳動体の構造説明正面図（Ａ）と、主ヒレ部の駆動機構説明の平面図
【図３】図１実施形態の水中泳動体の用法と作用説明図
【図４】本発明の他の実施形態の水中泳動体を示し、（Ａ）はその正面図、（Ｂ）はその右側面図
【図５】本発明の他の実施形態の水中泳動体を示し、（Ａ）はその扇動機構の説明図、（Ｂ）は電源供給形態と用法の説明図
【符号の説明】
１　クリオネ型水中泳動体
２　胴部
３　頭部
４　尾部
５　主ヒレ部
６　膜部
７　リブ部
７Ａ　作動リブ
９　分割面
１０　扇動機構
１１　割型ケース
１２　駆動部ケース
１５　主ヒレ駆動部
１８　支承ピン
２１　出力ピン
２２　クランク板
２３　クランクピン
２５　クランクレバー
３０　水槽
３１　氷擬製板
３２　タイマー
Ｍ　モーター
Ｓ　リミットスイッチ
【図１】
2004141202.tif 000003
【図２】
2004141202.tif 000004
【図３】
2004141202.tif 000005
【図４】
2004141202.tif 000006
【図５】
2004141202.tif 000007